(57)【特許請求の範囲】
【請求項１】
放射線管理区域内で作業した業務従事者がその管理区域から退域する際に、その業務従事者の全身表面の放射性物質による汚染状態を検査し、退域の可否を指示する全身表面汚染モニタであって、業務従事者の手が挿入されて、手の部分を独立に検査するための、少なくとも放射線検出器と放射線検出器を外部光から遮蔽する遮光膜と遮光膜の破損を防止する保護用金網とから構成されている手検出部を備えている全身表面汚染モニタにおいて、
手が挿入される手検出部の手挿入空間内に、遮光膜の破損を検知するための発光手段が備えられていることを特徴とする全身表面汚染モニタ。
【請求項２】
前記保護用金網の表面が光を良く反射する状態であることを特徴とする請求項１に記載の全身表面汚染モニタ。
【発明の詳細な説明】
【０００１】
【発明の属する技術分野】
この発明は、放射線管理区域内で作業した業務従事者がその管理区域から退域する際に、その業務従事者の全身表面の放射性物質による汚染状態を検査し、退域の可否を指示する全身表面汚染モニタに関する。
【０００２】
【従来の技術】
図２は、全身表面汚染モニタの構成を示す斜視透視図である。
全身表面汚染モニタ10は、検査を受ける業務従事者の前後左右上下の６面に放射線検出器を備え、更に、手の部分を独立に検査する１対の手検出部３を備えている。図２においては、前面の放射線検出器（図２では前面検出器）１と後面の放射線検出器（図２では後面検出器）２のみが示され、左右の扉に配置されている放射線検出器と、頭の汚染を検査するための上面の放射線検出器と、足の汚染を検査する下面の放射線検出器は図示を省略されている。
【０００３】
放射線検出器１等の検出素子は光に感ずるので、放射線検出器１等の検出素子は全て図示していない遮光膜で覆われており、遮光膜を保護するためにその外側がステンレス線からなる図示していない保護用金網で覆われている。
【０００４】
検査を受ける業務従事者が全身表面汚染モニタ10内に入ると、その業務従事者の身長に合わせて上面の放射線検出器の高さが調整される。業務従事者は、作業中に着用していた手袋を外して、両手をそれぞれの手検出部３に挿入して、前後左右上下の放射線検出器による全身表面の汚染状態の検査に加えて、手の汚染状態の検査を受ける。手が独立に検査されるのは、手は、作業による汚染の可能性が特に高い部位であるからである。
【０００５】
検査の結果、汚染状態が許容範囲内であれば、退出用の扉が開いて、検査を受けた業務従事者は全身表面汚染モニタ10から退出できる。許容範囲を越えている場合には、退出用の扉は開かれず、警報が発せられて、係員が呼ばれる。業務従事者は、その係員の指示にしたがって、再度全身を清浄化することが必要となり、放射線管理区域から退域することはできない。
【０００６】
【発明が解決しようとする課題】
上記のように手検出部３で手の汚染状態が検査される際に、保護用金網の目を通して遮光膜を破損する業務従事者がいる。手検出部３には、遮光膜を保護するための保護用金網が設けられており、その目の大きさは指が通らない程度の大きさには設定されている。しかし、放射線の検出感度を確保するために、その金網の強度と目の細かさには限界があり、ボールペンの先等は楽に通る大きさになっている。
【０００７】
手が手検出部３に挿入されている状態で遮光膜が破損された場合には、外部の光は、挿入されている手に遮られているため、破損部を通して検出素子までには到達しない。したがって、手検出部３の放射線検出器が遮光膜の破損を検知することはなく、検査を受けた業務従事者の手を含めた全身表面が許容範囲内の汚染状態であれば、全身表面汚染モニタ10は正常と判断して、その業務従事者は全身表面汚染モニタ10から退出することができる。
【０００８】
検査を受けた業務従事者が退出すると、全身表面汚染モニタ10は初期化され、バックグラウンド（以下ではＢＧと略称）値の測定を開始する。この場合には、手検出部３には手が挿入されていないから、外部の光が手挿入部から入射する。遮光膜に破損箇所があると、そこを通って外部の光が検出素子に到達し、異常に高いＢＧ値として検出され、全身表面汚染モニタ10は、ＢＧ変動やＢＧ高という警報を発し、使用できなくなる。その結果、現場が混乱する等の多大な迷惑をかける可能性がある。
【０００９】
この発明の課題は、全身表面汚染モニタの手検出部の遮光膜が故意にあるいは偶然に破損された場合に、手を挿入した状態のままでその破損を検知して、検査を受けている業務従事者が退出できないようにし、且つ警報を発する全身表面汚染モニタを提供することである。
【００１０】
【課題を解決するための手段】
この発明においては、放射線管理区域内で作業した業務従事者がその管理区域から退域する際に、その業務従事者の全身表面の放射性物質による汚染状態を検査し、退域の可否を指示する全身表面汚染モニタであって、業務従事者の手が挿入されて、手の部分を独立に検査するための、少なくとも放射線検出器と放射線検出器を外部光から遮蔽する遮光膜と遮光膜の破損を防止する保護用金網とから構成されている手検出部を備えている全身表面汚染モニタにおいて、手が挿入される手検出部の手挿入空間内に、遮光膜の破損を検知するための発光手段が備えられている（請求項１の発明）。
【００１１】
遮光膜の破損を検知するために手挿入空間内に備えられている発光手段からの光は、手が挿入された状態でも、遮光膜の破損部を通って検出素子に検知されるので、全身表面汚染モニタでは許容範囲を越える放射線汚染があったのと同じ処置がなされる。
請求項１の発明において、前記保護用金網の表面が光を良く反射する状態である（請求項２の発明）。
【００１２】
保護用金網の表面が光を良く反射する状態であるので、前記発光手段からの光は、手が挿入された状態でも、より確実に、遮光膜の破損部を通って検出素子に検知され、全身表面汚染モニタでは許容範囲を越える放射線汚染があったのと同じ処置がなされる。
【００１３】
【発明の実施の形態】
この発明による全身表面汚染モニタの実施の形態について、実施例を用いて説明する。
この実施例においてはその手検出部3aに特徴があり、図１はその手検出部3aの構成を示す斜視部分断面図である。
【００１４】
手検出部3aは、１対の手用検出器31と手用検出器31を収容し手挿入口321 を有する筐体32と豆電球等の光源33とで構成されている。手用検出器31は、筐体32内の両側に配置されていて、放射線検出素子と外部からの光を遮るための遮光膜と遮光膜を保護するためのステンレス線製の保護用金網311 とで構成されており、手挿入口321 から挿入された手の放射性物質から放射される放射線を検出する。光源33は、筐体32内の１対の手用検出器31の間の手挿入空間の上部奥に配置され、遮光膜の破損を放射線検出素子に検知させるための光を照射する。手挿入空間の上部奥に配置されているのは、挿入された手によって照射光が遮られないようにするためである。
【００１５】
この光源33から照射される光は、遮光膜が破損された場合に、手が挿入されたままの状態で、その破損箇所から放射線検出素子に入射し、放射性物質による汚染があったのと同様の検知信号を放射線検出素子に発生させる。この検知信号によって、全身表面汚染モニタは、手を挿入している業務従事者を全身表面汚染モニタ内に閉じ込め、同時に警報を発し、係員に通報する。このようにして、故意に遮光膜を破損した業務従事者が逃げられないようにし、偶然に破損した業務従事者には遮光膜の破損が非常に迷惑であることを説明して以後の注意を促すことができるようになる。
【００１６】
また、保護用金網の表面を、光を良く反射する表面状態にしておくと、光源33から照射された光が保護用金網で反射され、光源からの直射成分に方向の異なる反射成分が加わり、より有効に光源33からの光が利用されて、遮光膜の破損をより確実に検知することができるようになる。
【００１７】
【発明の効果】
この発明によれば、放射線管理区域内で作業した業務従事者がその管理区域から退域する際に、その業務従事者の全身表面の放射性物質による汚染状態を検査し、退域の可否を指示する全身表面汚染モニタであって、業務従事者の手が挿入されて、手の部分を独立に検査するための、少なくとも放射線検出器と放射線検出器を外部光から遮蔽する遮光膜と遮光膜の破損を防止する保護用金網とから構成されている手検出部を備えている全身表面汚染モニタにおいて、手が挿入される手検出部の手挿入空間内に、遮光膜の破損を検知するための発光手段が備えられている。遮光膜の破損を検知するために手挿入空間内に備えられている発光手段からの光は、手が挿入された状態でも、遮光膜の破損部を通って放射線検出素子に検知されるので、全身表面汚染モニタでは許容範囲を越える放射線汚染があったのと同じ処置がなされる。
【００１８】
したがって、全身表面汚染モニタの手検出部の遮光膜が故意にあるいは偶然に破損された場合に、手を挿入した状態のままで、その破損を検知して、検査を受けている業務従事者が退出できないようにし、且つ警報を発する全身表面汚染モニタを提供することができる（請求項１の発明）。
【００１９】
請求項１の発明において、前記保護用金網の表面が光を良く反射する状態であるので、前記発光手段からの光は、手が挿入された状態でも、より確実に、遮光膜の破損部を通って放射線検出素子に検知され、全身表面汚染モニタでは許容範囲を越える放射線汚染があったのと同じ処置がなされる。
【００２０】
したがって、全身表面汚染モニタの手検出部の遮光膜が故意にあるいは偶然に破損された場合に、手を挿入した状態のままで、より確実に、その破損を検知して、検査を受けている業務従事者が退出できないようにし、且つ警報を発する全身表面汚染モニタを提供することができる（請求項２の発明）。
【図面の簡単な説明】
【図１】この発明による全身表面汚染モニタの実施例における手検出部の構成を示す斜視部分断面図
【図２】全身表面汚染モニタの構成を示す斜視透視図
【符号の説明】
１  前面検出器
２  後面検出器
３, 3a  手検出部
31  手用検出器             311  保護用金網
32  筐体                   321  手挿入口
33  光源
10  全身表面汚染モニタ
【図１】
0003704981.tif 000002
【図２】
0003704981.tif 000003